(57)【要約】【課題】  本発明は釣り用ケースに係り、屋外や釣場でも安心して使用することができる釣り用ケースを提供することを目的とする。【解決手段】  有底筒状の複数のケース体を上下に着脱自在に重ねて多段に螺合，連結し、上方側のケース体と下方側のケース体との間に可撓性を有する連結体を掛け渡すと共に、ケース体の着脱時に、前記連結体が取り付く上方側のケース体が該連結体を支軸として周方向へ回動可能であることを特徴とする。【選択図】    図１
2009261376.tif 000002
【特許請求の範囲】
【請求項１】
有底筒状の複数のケース体を上下に着脱自在に重ねて多段に螺合，連結し、上方側のケース体と下方側のケース体との間に可撓性を有する連結体を掛け渡すと共に、
ケース体の着脱時に、前記連結体を支軸として該連結体が取り付く上方側のケース体が、周方向へ回動可能であることを特徴とする釣り用ケース。
【請求項２】
最上部の前記ケース体の上部開口に蓋体が螺合し、該蓋体の中央に、該蓋体が周方向へ回動可能に前記連結体が挿通していることを特徴とする請求項１に記載の釣り用ケース。
【発明の詳細な説明】
【技術分野】
【０００１】
本発明は、釣針や錘，さるかん等の釣り用の小物や釣餌等を収納する釣り用ケースに関する。
【背景技術】
【０００２】
釣針や錘，さるかん等の釣り用の小物を収納する小物入れの一例として、非特許文献１に釣針用のケースが開示されている。
【０００３】
前記ケースは、釣針の号数に応じ内径の異なる（例えば３号の釣針用は内径φ３ｃｍ，４号の釣針用は内径φ４ｃｍ，５号の釣針用は内径φ５ｃｍ）有底円筒状の透明なアクリル製の複数のケース体を、同一種毎に上下に重ねて多段に螺合し連結したもので、最上部に位置するケース体の上部開口に蓋体が螺着できるようになっている。
【非特許文献１】株式会社森本久夫商店発行「'９３ ＮＡＮＩＷＡ ＦＩＳＨＩＮＧ  ＣＡＴＡＬＯＧＵＥ」 第６７頁 「丸針入」
【発明の開示】
【発明が解決しようとする課題】
【０００４】
しかし、前記ケースは、主として室内で仕掛けを作るときに使用するものであるため、これを釣り用の小物を収納する釣り用ケースとして釣場や屋外に持ち出した場合、最上部のケース体から取り外した蓋体が紛失し易い欠点があった。
【０００５】
また、例えばケース体を５段に重ねて連結していた釣り用ケースを２段目と３段目の間で分離したとき、通常、使用しない一方を近場に置き、他方を掴んで作業をすることとなるが、近場に置いておいた一方が倒れてしまうと、連結されているケース体は円筒状であるため、転がって渓流に流されてしまう等の虞もあった。
【０００６】
本発明は斯かる実情に鑑み案出されたもので、上述の如き不具合を解消し、屋外や釣場でも安心して使用することができる釣り用ケースを提供することを目的とする。
【課題を解決するための手段】
【０００７】
斯かる目的を達成するため、請求項１に係る釣り用ケースは、有底筒状の複数のケース体を上下に着脱自在に重ねて多段に螺合，連結し、上方側のケース体と下方側のケース体との間に可撓性を有する連結体を掛け渡すと共に、ケース体の着脱時に、前記連結体が取り付く上方側のケース体が該連結体を支軸として周方向へ回動可能であることを特徴とする。
【０００８】
そして、請求項２に係る発明は、請求項１に記載の釣り用ケースに於て、最上部の前記ケース体の上部開口に蓋体が螺合し、該蓋体の中央に、該蓋体が周方向へ回動可能に前記連結体が挿通していることを特徴とする。
【発明の効果】
【０００９】
各請求項に係る発明によれば、ケース体の着脱時に、連結体が取り付く上方側のケース体が該連結体を支軸として周方向へ回動可能であるため、ケース体の回動操作に連結体が支障を来すことがない。
【００１０】
そして、分離したケース体が連結体を介して連結しているため、分離したケース体が誤って落下してしまうことがなく、屋外や釣場で安心して使用することができる利点を有する。
【発明を実施するための最良の形態】
【００１１】
以下、本発明の実施形態を図面に基づいて詳細に説明する。
【００１２】
図１乃至図５は請求項１及び請求項２の第一実施形態に係る釣り用ケースを示し、図１及び図３に於て、１は一例として内径φ５ｃｍ，高さ４ｃｍに形成された有底円筒状のケース体で、該ケース体１はポリプロピレン等の合成樹脂を材料として透明または半透明に形成されている。
【００１３】
そして、ケース体１の上部開口３近傍の外周に外方へ突出する環状の厚肉部５が形成され、該厚肉部５の上方の開口部周縁に雄ネジ部７が設けられている。
【００１４】
また、ケース体１の下部には、内周に雌ネジ部９を有する連結脚部１１が外方へやや突出して一体形成されており、該連結脚部１１は前記厚肉部５と上下方向に同一幅で形成され、該連結脚部１１の近傍にケース体１の底部１３が設けられている。
【００１５】
図１及び図３に示すように本実施形態に係る釣り用ケース１５は、一例として３つの前記ケース体１によって構成されており、１段目のケース体１の雄ネジ部７に２段目のケース体１の雌ネジ部９を螺合し、更に２段目のケース体１の雄ネジ部７に３段目のケース体１の雌ネジ部９を螺合することで、３つのケース体１が上下に重ねて３段に螺合，連結されている。そして、斯様に３つのケース体１が上下に３段に連結されると、１段目のケース体１の厚肉部５と２段目のケース体１の連結脚部１１、及び２段目のケース体１の厚肉部５と３段目のケース体１の連結脚部１１が夫々面一になり、且つ厚肉部５と連結脚部１１が上下方向に同一幅で形成されていることも相俟って、図１の如く釣り用ケース１５はデザイン的に調和のとれた外形形状を呈している。
【００１６】
そして、図１及び図３に示すように周方向に９０°の間隔を空けてケース体１の周壁１７の略中央に、縦横３列の合計９個宛の小孔１９が設けられている。
【００１７】
一方、釣り用ケース１５の最上部に位置する３段目のケース体１の上部開口３には、ケース体１と同一材料で形成されたキャップ状の蓋体２１が着脱自在に取り付けられており、蓋体２１の周縁部内周に、ケース体１の雄ネジ部７に螺着可能な雌ネジ部２３が設けられている。そして、ケース体１の雄ネジ部７に雌ネジ部２３を螺着して蓋体２１をケース体１に取り付けると、蓋体２１の外周とケース体１の厚肉部５も面一となるように構成されている。
【００１８】
図３に示すように蓋体２１の中央には、後述する連結体２５に設けた軸部２７が挿通する軸部挿通孔２９が形成され、更に図２に示すように、該軸部挿通孔２９を中心に複数の小孔１９が等間隔に二重のリング状に配置，形成されている。そして、蓋体２１に設けた前記小孔１９と軸部挿通孔２９に対応して各ケース体１の底部１３に、夫々、軸部挿通孔２９と複数の小孔１９が設けられている。
【００１９】
そして、図１乃至図３に示すように、最上部（３段目）のケース体１に取り付く蓋体２１の軸部挿通孔２９と、最下部（１段目）のケース体１の底部１３に設けた軸部挿通孔２９との間に連結体２５が掛け渡されている。
【００２０】
前記連結体２５は、ケース体１と同様に合成樹脂材料で形成された帯状のやや肉厚で可撓性を有する紐体からなり、図３に示すように連結体２５の両端に筒状の厚肉な軸部２７が内方へ突設され、更に該軸部２７の先端に、中央に設けた切欠き３１がＶ字状に拡開する一対のラチェット状の抜止め用係止爪３３が設けられている。
【００２１】
そして、一対の抜止め用係止爪３３を左右方向から押圧して切欠き３１をすぼめ乍ら、蓋体２１の軸部挿通孔２９に抜止め用係止爪３３と軸部２７を挿通させると、両抜止め用係止爪３３への押圧が解除されるため、切欠き３１がＶ字状に拡開して抜止め用係止爪３３による蓋体２１からの連結体２５（軸部２７）の抜止めが図られる。
【００２２】
同様に、図３に示すように連結体２５の他方の抜止め用係止爪３３を左右方向から押圧して切欠き３１をすぼめ乍ら、１段目のケース体１の底部１３に設けた軸部挿通孔２９に外方から挿通させると、両抜止め用係止爪３３への押圧が解除されるため、切欠き３１がＶ字状に拡開して抜止め用係止爪３３によるケース体１（底部１３）からの連結体２５（軸部２７）の抜止めが図られる。
【００２３】
このように蓋体２１と底部１３の中央の軸部挿通孔２９に連結体２５が回動可能に挿通しているため、連結体２５が取り付いた状態で、蓋体２１や各ケース体１の図中、矢印方向（周方向）への回動操作による着脱（開閉）が可能となっている。
【００２４】
また、図３及び図４に示すように前記連結体２５は、ケース体１の着脱及びケース体１の増加に対応可能に長尺に形成されており、前記軸部２７からケース体１の半径寸法よりもやや外方に折曲部３５が設けられている。
【００２５】
本実施形態に係る釣り用ケース１５はこのように構成されており、次に、該釣り用ケース１５を、号数毎に釣針を分別収納する釣針用のケースとして使用する場合について説明する。
【００２６】
先ず、３個のケース体１が分離した状態にあるとき、一例として３号の釣糸を１個のケース体１内に収納した後、該ケース体１の雄ネジ部７に２段目のケース体１の雌ネジ部９を螺合して重ねる。これにより、１段目のケース体１の底部１３と２段目のケース体１の底部１３が仕切りとなって、１段目のケース体１内が釣針の収納部として機能する。
【００２７】
次いで、２段目のケース体１内に４号の釣糸を収納して、該ケース体１の雄ネジ部７に３段目のケース体１の雌ネジ部９を螺合した後、３段目のケース体１内に５号の釣糸を収納して、該ケース体１の雄ネジ部７に蓋体２１を螺合すれば、２段目，３段目のケース体１内が、夫々、釣針の収納部として機能する。
【００２８】
そして、連結体２５の一対の抜止め用係止爪３３を左右方向から押圧して切欠き３１をすぼめ乍ら、蓋体２１の軸部挿通孔２９に抜止め用係止爪３３と軸部２７を挿通させれば、図３に示すように切欠き３１がＶ字状に拡開して、抜止め用係止爪３３による蓋体２１からの連結体２５（軸部２７）の抜止めが図られ、蓋体２１に連結体２５が取り付く。
【００２９】
同様に、連結体２５の他方の抜止め用係止爪３３を左右方向から押圧して切欠き３１をすぼめ乍ら、１段目のケース体１の底部１３に設けた軸部挿通孔２９に外方から挿通させると、図３に示すように切欠き３１がＶ字状に拡開して、抜止め用係止爪３３によるケース体１（底部１３）からの連結体２５（軸部２７）の抜止めが図られ、該底部１３に連結体２５が取り付く。
【００３０】
そして、斯様に連結体２５が取り付くことで、該連結体２５が運搬時または取り扱い時のハンドルとして機能する。
【００３１】
また、既述したように蓋体２１が周方向へ回動可能に連結体２５が挿通しているため、釣り用ケース１５から例えば４号の釣針を取り出したい時には、連結体２５が取り付いたまま、図４に示すように１段目と２段目のケース体１を当時に押さえ、または２段目のケース体１を押さえて３段目のケース体１を回動操作、即ち、回して取り外せば、２段目のケース体１が開口して４号の釣針を取り出すことができる。そして、分離した３段目のケース体１には蓋体２１が取り付くと共に、連結体２５を介して１段目のケース体１と連結しているため、分離した３段目のケース体１が誤って落下してしまうことがない。
【００３２】
更に、図示しないが、同様に釣り用ケース１５から３号の釣針を取り出したい時には、１段目のケース体１を押さえて２段目のケース体１を回して取り外せばよく、この場合も、２段目と共に回転する３段目のケース体１の蓋体２１が連結体２５を中心に回動可能であるから、２段目のケース体１の回動操作に連結体２５が支障を来すことがない。そして、連結体２５を介して１段目のケース体１と２，３段目のケース体１が連結しているため、分離したケース体１が誤って落下してしまうことがない。
【００３３】
従って、本実施形態に係る釣り用ケース１５によれば、屋外や釣場でも安心して使用することができる利点を有する。
【００３４】
また、図５は前記釣り用ケース１５の１段目のケース体１の下部に４番目のケース体１を螺合，連結した釣り用ケース１５-1を示し、既述したように連結体２５はケース体１の増加に対応可能に長尺に形成されているため、図１の１段目のケース体１の底部１３に取り付く連結体２５の抜止め用係止爪３３を左右方向から押圧して、切欠き３１をすぼめ乍ら軸部２７を底部１３から引き抜いた後、図５の如く螺合，連結した４番目のケース体１の底部１３に連結体２５を同様な手順で連結すればよい。
【００３５】
このように、本実施形態によれば、更に必要な個数のケース体１を螺合，連結していくことができる利点を有する。勿論、蓋体２１を外して、３段目のケース体１の上部に新たなケース体１を螺合，連結してもよい。
【００３６】
図６及び図７は請求項１及び請求項２の第二実施形態に係る釣り用ケースを示し、本実施形態に係る釣り用ケース１５-2は、１段目のケース体１の周壁１７に軸部挿通孔３７を形成し、該軸部挿通孔３７に連結体２５の一端側を連結した点で、前記釣り用ケース１５と構造を異にしている。従って、１段目のケース体１は周方向に回動操作をすることができない。
【００３７】
そして、釣り用ケース１５-2は、前記ケース体１の上部に２，３段目のケース体３９が重なって連結した構造となっているが、該ケース体３９は、厚肉部５の近傍にケース体３９の底部４１が設けられ、該底部４１に前記底部１３と同様、小孔１９と軸部挿通孔２９が設けられている点で前記実施形態と構造を異にしている。
【００３８】
尚、その他の構成は図１の実施形態と同様であるので、同一のものには同一符号を付してそれらの説明は省略する。
【００３９】
本実施形態はこのように構成されているから、１段目のケース体１は周方向に回動操作をすることができないものの、前記実施形態と同様の操作方法によって図７の如く各段のケース体１，３９を着脱（開閉）させることができ、屋外や釣場でも安心して使用することができることは勿論、前記ケース体３９を用いたことで、１段目と２段目のケース体１，３９の間に広い収納部（図６中、符号４３）を確保することが可能である。
【００４０】
更に、本実施形態によれば、３段目のケース体３９の底部４１と蓋体２１との間にも小さな収納部（図６中、符号４５）を確保することができるし、図８の如く１段目のケース体１の下部にケース体１を螺合，連結することで、収納物の大きさや個数に対応した釣り用ケース１５-3を提供することができる。
【００４１】
また、既述したケース体１，３９の周壁１７や底部１３，蓋体２１には多数の小孔１９が設けられているから、前記釣り用ケース１５〜１５-3を水に浸すと、その中に水を流下させることができる。
【００４２】
このため、釣り用ケース１５〜１５-3を、例えば川虫等の釣餌を入れておく釣餌ケースとしても利用することができ、ケース体１，３９毎に種類の異なる釣餌を入れて、連結体２５が釣り用ケース１５〜１５-3を周辺物に係止させておく係止具として機能させることができる。
【図面の簡単な説明】
【００４３】
【図１】請求項１及び請求項２の第一実施形態に係る釣り用ケースの側面図である。
【図２】釣り用ケースの平面図である。
【図３】釣り用ケースの断面図である。
【図４】３段目のケース体を外した釣り用ケースの断面図である。
【図５】ケース体を追加した釣り用ケースの断面図である。
【図６】請求項１及び請求項２の第二実施形態に係る釣り用ケースの断面図である。
【図７】２段目のケース体を外した釣り用ケースの断面図である。
【図８】ケース体を追加した釣り用ケースの断面図である。
【符号の説明】
【００４４】
１，３９  ケース体
３  上部開口
５  厚肉部
７  雄ネジ部
９，２３  雌ネジ部
１１  連結脚部
１３，４１  底部
１５，１５-1，１５-2，１５-3  釣り用ケース
１９  小孔
２１  蓋体
２５  連結体
２７  軸部
２９，３７  軸部挿通孔
３１  切欠き
３３  抜止め用係止爪
【図１】
2009261376.tif 000003
【図２】
2009261376.tif 000004
【図３】
2009261376.tif 000005
【図４】
2009261376.tif 000006
【図５】
2009261376.tif 000007
【図６】
2009261376.tif 000008
【図７】
2009261376.tif 000009
【図８】
2009261376.tif 000010